(57)【特許請求の範囲】
【請求項１】
八角形状の底板(1)の対向する端辺に端板(2)を、各斜辺に隅板(3)をそれぞれ連設し、端板(2)の先端に押圧板(4)を連設して、押圧板(4)とその両側の隅板(3)とを繋部(5)を介して連結し、繋部(5)と隅板(3)の境界に山折線(6)を、繋部(5)と押圧板(4)の境界に谷折線(7)をそれぞれ入れ、円盤状の照明器具(L)を底板(1)に載せて、押圧板(4)を引き上げると、端板(2)及び隅板(3)が起立して、照明器具(L)の外周部が下方から抱持されると共に、繋部(5)が山折線(6)と谷折線(7)に沿って折り込まれ、押圧板(4)が内側へ折れ曲がって、照明器具(L)の外周部が上方から押さえられるようにした照明器具の緩衝材。
【請求項２】
前記底板(1)を切り込んでアダプタ固定片(8)を形成し、アダプタ固定片(8)を底板(1)の中心部に折り重ね、照明器具(L)の取付用アダプタ(A)をアダプタ固定片(8)の係止穴(9)に嵌め込んで固定することを特徴とする請求項１に記載の照明器具の緩衝材。
【請求項３】
前記底板(1)をアダプタ固定片(8)の折重位置から両側方へ切り込んで、一対の器具固定片(10)を形成し、アダプタ(A)を包み込むように各器具固定片(10)を山形に折り曲げて起立させ、器具固定片(10)同士を重ね合わせて一体化し、照明器具(L)を器具固定片(10)に係合させて固定することを特徴とする請求項２に記載の照明器具の緩衝材。
【発明の詳細な説明】
【技術分野】
【０００１】
この発明は、円盤状の照明器具を梱包する際、照明器具と共に箱に収納し、照明器具を輸送時の衝撃から保護する緩衝材に関するものである。
【背景技術】
【０００２】
従来、下記特許文献１には、図８に示すように、シーリングライト等の円盤状の照明器具Ｌを保護する梱包用緩衝材として、箱６１に照明器具Ｌと共に収納する段ボール製のものが記載されている。
【０００３】
この緩衝材は、照明器具Ｌを載せる八角形状の底板５１の周囲各辺のうち、箱６１の各側板６２に対応する四方の端辺に端板５２を、斜辺に隅板５３をそれぞれ連設し、端板５２と隅板５３の基端部を繋ぐ繋部５４を設け、底板５１の角を起点として、端板５２と繋部５４の境界に隅板５３の方向へ傾斜した斜折線５５を入れると共に、端板５２の両側部に谷折線５６を入れたものとされている。
【０００４】
このような緩衝材では、天面のフラップ６３を開けた箱６１へ挿入すると、端板５２が斜折線５５及び谷折線５６に沿って内側へ傾くように折れ曲がり、端板５２により照明器具Ｌが押さえられ、隅板５３が箱６１の隣接する２枚の側板６２に当接するように外側へ傾いて起立し、隅板５３に支持されて箱６１が補強される。
【先行技術文献】
【特許文献】
【０００５】
【特許文献１】特許第４３４９９６６号公報
【発明の概要】
【発明が解決しようとする課題】
【０００６】
しかしながら、上記のような緩衝材では、天面開閉式の箱６１に代えて、側面に開閉用のフラップを有する箱を使用した場合、箱への挿入時に、隅板５３を傾いた起立状態に維持するのが難しく、作業性がよくないという問題がある。
【０００７】
また、照明器具Ｌの外周部の厚みが大きい場合、端板５２では照明器具Ｌの外周部を包み込むように保持することができず、照明器具Ｌを安定して所定の位置に固定できないという問題がある。
【０００８】
そこで、この発明は、円盤状の照明器具を容易に箱詰めして、確実に固定できるようにすることを課題とする。
【課題を解決するための手段】
【０００９】
上記課題を解決するため、この発明は、八角形状の底板の対向する端辺に端板を、各斜辺に隅板をそれぞれ連設し、端板の先端に押圧板を連設して、押圧板とその両側の隅板とを繋部を介して連結し、繋部と隅板の境界に山折線を、繋部と押圧板の境界に谷折線をそれぞれ入れ、円盤状の照明器具を底板に載せて、押圧板を引き上げると、端板及び隅板が起立して、照明器具の外周部が下方から抱持されると共に、繋部が山折線と谷折線に沿って折り込まれ、押圧板が内側へ折れ曲がって、照明器具の外周部が上方から押さえられるようにしたのである。
【００１０】
また、前記底板を切り込んでアダプタ固定片を形成し、アダプタ固定片を底板の中心部に折り重ね、照明器具の取付用アダプタをアダプタ固定片の係止穴に嵌め込んで固定することとしたのである。
【００１１】
さらに、前記底板をアダプタ固定片の折重位置から両側方へ切り込んで、一対の器具固定片を形成し、アダプタを包み込むように各器具固定片を山形に折り曲げて起立させ、器具固定片同士を重ね合わせて一体化し、照明器具を器具固定片に係合させて固定することとしたのである。
【発明の効果】
【００１２】
この発明に係る緩衝材では、端板の先端に連設した押圧板を介してその両側の隅板が繋がれているので、一対の押圧板を引き上げるだけで、隅板が傾いた起立状態に維持され、円盤状照明器具を端板、隅板及び押圧板で包み込むように保持しつつ、容易に箱詰めして梱包することができ、照明器具のセード等、傷つきやすい部分を保護できる。
【００１３】
また、取付用アダプタを包み込んで強度が確保された器具固定片により、照明器具を定位置に固定できるので、樹脂製の固定部材等を別途用いることなく、輸送中の照明器具のがたつきを防止することができ、梱包コストを抑制することができる。
【図面の簡単な説明】
【００１４】
【図１】この発明の実施形態に係る緩衝材のブランクを示す図
【図２】同上のアダプタ固定片の折重状態を示す斜視図
【図３】同上の器具固定片の起立状態を示す斜視図
【図４】同上の照明器具を載せた状態を示す斜視図
【図５】同上の押圧板を引き上げた状態を示す斜視図
【図６】同上の箱への挿入過程を示す斜視図
【図７】同上の箱へ挿入した梱包状態を示す斜視図
【図８】従来の緩衝材による梱包状態を示す斜視図
【発明を実施するための形態】
【００１５】
以下、この発明の実施形態を添付図面に基づいて説明する。
【００１６】
図１に示すように、この緩衝材の段ボール製ブランクでは、底板１が八角形状とされ、その周囲の対向する端辺に先広がりの端板２が、四隅の各斜辺に台形状の隅板３がそれぞれ連設されている。底板１と端板２の境界には、押罫が入れられ、底板１と隅板３の境界には、押罫が入れられると共に、後述する隅板３の起立状態を自立的に維持するため、脚部３ａを形成するスロット及び切込が入れられている。
【００１７】
端板２の先端には、押圧板４が連設され、端板２と押圧板４の境界には、折曲抵抗を軽減するため、押罫と断続する切目から成るリード罫が入れられている。押圧板４とその両側の隅板３とは、繋部５を介して連結されている。繋部５と隅板３の境界には、折曲抵抗を軽減するため、リード罫の山折線６が入れられ、繋部５と押圧板４の境界には、他の罫線とは逆方向への折り曲げを可能とするため、リード罫の谷折線７が入れられている。
【００１８】
底板１には、アダプタ固定片８が中央側から一方の開放された端辺側へかけて切込により形成されている。アダプタ固定片８の基端には、押罫が入れられ、アダプタ固定片８の中央部には、係止穴９が設けられている。
【００１９】
また、底板１には、一対の器具固定片１０が中央側から両方の端板２側へかけて切込により形成されている。器具固定片１０の基端と長さ方向の中央部には、後述するアダプタＡを保持するため、僅かにＶ字状に屈曲した押罫が入れられている。
【００２０】
また、底板１には、他方の開放された端辺側に、箱への挿入時や、箱からの取り出し時に手を掛ける取手穴１１が設けられている。
【００２１】
さらに、端板２の側縁、アダプタ固定片８及び器具固定片１０の側縁及び先端に臨む部分には、隣接する部分からの分離起立を容易にするため、抜落穴が設けられている。
【００２２】
このようなブランクから成る緩衝材を使用して、シーリングライトのような円盤状の照明器具を梱包する際には、図２に示すように、アダプタ固定片８を底板１の中心部に折り重ね、アダプタ固定片８の係止穴９に照明器具の取付用アダプタＡの裏側の凸部を嵌め込んで、アダプタＡを移動しないように固定する。
【００２３】
次に、図３に示すように、アダプタＡを包み込むように各器具固定片１０を山形に折り曲げて起立させ、器具固定片１０同士を重ね合わせてテープ貼りにより一体化する。
【００２４】
続いて、図４に示すように、照明器具Ｌの器具本体Ｍを上下反転させて底板１に載せ、器具本体Ｍの中央部の穴に器具固定片１０を挿入して係合させ、器具本体Ｍを移動しないように固定する。
【００２５】
その後、図５に示すように、器具本体Ｍに上下反転させたセードＳを被せ、押圧板４を引き上げると、端板２及び隅板３が起立して、照明器具Ｌの外周部が下方から抱持されると共に、繋部５が山折線６と谷折線７に沿って折り込まれ、押圧板４が内側へ折れ曲がって、照明器具Ｌの外周部が上方から押さえられる。
【００２６】
そして、底板１の端部にリモコンＲをテープ等で固定し、一対の押圧板４を押さえた状態で、図６に示すように、側面のフラップ２２を開けた箱２１に、照明器具Ｌを緩衝材と共に挿入し、図７に示すように、フラップ２２を閉じると、梱包が完了する。
【００２７】
上記のような緩衝材では、端板２の先端に連設した押圧板４を介してその両側の隅板３が繋がれているので、一対の押圧板４を引き上げるだけで、隅板３が傾いた起立状態に維持され、照明器具Ｌを端板２、隅板３及び押圧板４で包み込むように保持しつつ、容易に箱２１に挿入して、梱包することができ、セードＳのように、柔らかく傷つきやすい部分を輸送時の衝撃から確実に保護できる。
【００２８】
また、アダプタＡを包み込んで強度が確保された器具固定片１０により、照明器具Ｌを定位置に保持できるので、樹脂製の固定部材等を別途用いることなく、輸送中の照明器具Ｌのがたつきを防止することができ、梱包コストを抑制することができる。
【００２９】
なお、上記実施形態では、器具固定片１０同士をテープの貼付で一体化したものを例示したが、一方の器具固定片１０に設けた係合片を、他方の器具固定片１０に設けた係合穴に押し込んで、器具固定片１０同士を一体化するようにしてもよい。
【００３０】
また、側面開閉式の箱２１に挿入する場合について例示したが、通常の天面開閉式の箱を使用して梱包することもできる。
【符号の説明】
【００３１】
１  底板
２  端板
３  隅板
３ａ  脚部
４  押圧板
５  繋部
６  山折線
７  谷折線
８  アダプタ固定片
９  係止穴
１０  器具固定片
１１  取手穴
２１  箱
２２  フラップ
Ｌ  照明器具
Ｍ  器具本体
Ｓ  セード
Ａ  アダプタ
Ｒ  リモコン
【図１】
0005511629.tif 000002
【図２】
0005511629.tif 000003
【図３】
0005511629.tif 000004
【図４】
0005511629.tif 000005
【図５】
0005511629.tif 000006
【図６】
0005511629.tif 000007
【図７】
0005511629.tif 000008
【図８】
0005511629.tif 000009